(57)【要約】 【課題】  従来のペットトイレの排尿はペットシート,吸収マット等に吸収させ、排糞は適時つまみ出して、手間と二次的な廃棄物を出し美観的,衛生的で経済的でない。【解決手段】  浅い本体枠1の中に人工芝ベルト２を用いてベルトコンベヤーを構成しペットが入り、排便が終わると、自動的にベルトコンベヤーが作動し排便を各貯留器に貯留し、且つ内部に設置された洗浄水噴射口１９からの洗浄水の噴射、洗浄ブラシ２０にて人工芝ベルト２を洗浄し衛生的で二次的な廃棄物を出さない。又ベルトコンベヤー部分は簡単に上げ下げでき、人工芝ベルト２の取外し、維持管理、清掃ができ、排水貯留器２２を排水受器３２に変える事により他の排水に接続できる衛生的で経済的、美観的なペットトイレ。【選択図】    図１
2005176720.tif 000002
【特許請求の範囲】
【請求項１】
不透水性の人工芝、線状突起あるいは凹凸のあるもので作られたベルトを、ベルトコンベヤー状にし、上部面を排便場所にし、排糞、排尿後ベルトが移動して、排糞、排尿を貯留器に運び貯留できるペットトイレ。
【請求項２】
排便に使用したベルト部分を内部に設置した洗浄水ポンプを用いて洗浄水で洗い流し、又付着している糞、あるいは水滴を洗浄ブラシで払い落し排水貯留器に貯留する事が出来る請求項１記載のペットトイレ。
【請求項３】
前記排水貯留器は、このペットトイレを置く場所、設備によって排水貯留器から排水受器に取変える事により他の排水設備に接続する事ができ、排尿、洗浄水を衛生的に処理出来る請求項１及び２に記載のペットトイレ。
【発明の詳細な説明】
【技術分野】
【０００１】
本発明は、家庭内で飼育されるペット、特に犬の排便を排便後、自動的に貯留、洗浄し、常に排便場所として衛生的で美観的なペットトイレに関するもの。
【背景技術】
【０００２】
従来のペットトイレはペットシート、吸収マット、タオル、紙等を箱に敷きこんで一時的に吸収させ、排糞はその都度つまみ出すもので衛生的、美観的良くない。又吸収材はほとんどの物が使い捨てで廃棄物を多く出し経済的でない。
【特許文献１】特開２００１―３４６４７２
【０００３】
このようなペットトイレは、排便後飼い主が処分するまではそのままの状態で放置され、又排尿後ペットシート等の上をペットが歩き足に付着、或いはその後の排便を嫌い他の場所でする事があり、特に室内で飼育している場合は衛生的、美観的に良くない。  
【発明の開示】
【発明が解決しようとする課題】
【０００４】
解決しようとする問題点はペットシート、吸収マット等は排尿を吸収保持はするが排尿後足に付着したり排糞がそのまま有ると次に排便に来た時、その上での排便を嫌ったり足に付着すると衛生上問題があり又美観上の問題がある。
【０００５】
問題点はペットシート、吸収マット等はペットの排尿の量、頻度により交換をしなくてはならない、処理に度々手間がかかる。再利用出来ない物がほとんどで2次的廃棄物が発生する事で、経済的でない。
【０００６】
従って、本発明は、衛生的、美観的、２次的廃棄物が少なくなり排便の処理が容にでき且つ１日中管理が出来なくてもペットは衛生的に排便できる、経済的なペットトイレを提供する事を目的とするものである。
【課題を解決するための手段】
【０００７】
本発明は、ペットの排便する場所を衛生的、美観的にし、２次的廃棄物を少なくするために排便場所に不透水性のベルト（以下ベルトを人工芝ベルトと表現する）の上を排便場所とする。排便が終わると自動的にコンベヤーが移動し排便を各貯留器に運び、人工芝ベルト面を洗浄し、綺麗になった人工芝ベルト面が再び排便場所として使われ、常に排便し易く、衛生的で美観的、２次的廃棄物を少なくしたペットトイレである。            
【０００８】
このベルトは、不透水性のシート上に形成された人工芝、線状突起、凹凸、あるいは一体成形された人工芝状の物で作られ、芝目、線状突起間に保水性を持ったベルトを、ベルトコンベヤー状にし、上部面を排便場所にし、排糞は芝,線状突起面には付着し難く,排尿は芝目等に入り表面に滞留しない。半硬質でペットが踏みつけても倒れない程度の硬さ且つ緻密なベルトで,ベルトが移動して、排糞、排尿を貯留器に運ぶ事が出来るもの。
【０００９】
ペットが排便に入った時、人工芝ベルトコンベヤーの下に組み込まれたマットスイッチをペットが踏む事に依り、内部に設置されたリレー付タイマスイッチが起動する。排便が終わり外にでるまでの待機時間をとり、動力モーター、洗浄水ポンプが起動し、人工芝ベルトコンベヤーが排糞、排尿を貯留器に運び、洗浄水ポンプで汲み上げられた洗浄水を洗浄噴射パイプから人工芝ベルトに吹付け、洗い流し、洗浄ブラシにより付着物、水滴を払い落とし、人工芝ベルトを清掃し再び排便し易い清潔で、美観的に良く、排便処理も１日１回ですむ経済的なものにする。
【００１０】
排糞処理は下部に設けた排糞貯留器に溜まり、排尿、洗浄水は排水貯留器に貯留され、衛生的に一括処理出来２次的な廃棄物が出るのを少なくし処理の手間を省く事ができる。又ペットトイレを置く場所によっては、排水貯留器を排水受器に取り換えることにとって排水受機器の排尿パイプに外部放流用のパイプを接続する事で排尿、洗浄水を常に外部排水に放流でき、清掃時の排水も衛生的に処理できる。
【発明の効果】
【００１１】
以上説明したように人工芝ベルトを用いたペットトイレは以下に記載するような効果がある。
【００１２】
排便場所に人工芝ベルトを用いた事に依り、排糞した場合芝面が凹凸で、半硬質である為に糞は線状突起の先端で支えられている為に芝に付着しにくい。又排尿した場合芝生の厚みの間にすぐ透水する為に足に尿が付き難く衛生的で有る。
【００１３】
家庭内で飼育されているペットの場合、排便後いつも速やかに人が処理すれば良いが長時間出来ない場合、或るいは一日中管理が出来ない時、次の排便に来た時、以前の排便を踏んだり、足に付着したりしていやがり他の場所に排便する事があるが、排便場所に人工芝ベルトコンベヤーを用いた事に依り、その都度排糞、排尿を各貯留器に貯留する事が出来ると同時に排便場所をその都度水洗いする事が出来る為に、排便場所が何時もきれいで次の排便がすみやかに行われなる。
【００１４】
排便場所に人工芝ベルトコンベヤーを用いた事に依り、日中管理が出来なくても排便後、排糞、排尿を自動的に貯留器に貯留する事が出来る為にその都度処理する必要がなくなり、ペットシート、吸収マット、などの二次的な物を使わない為に廃棄物を出さず経済的であると共に便利で衛生的、美観的に良くなった。
【００１５】
又このペットトイレの設置場所によっては排尿、洗浄水を貯留する排水貯留を排水受器に取り換える事に依り外部の排水に接続する事が出来排尿、洗浄水を常に放流する事が出来、衛生的でより便利になる。
【発明を実施するための最良の形態】
【００１６】
以下本発明を、実施形態に図面を参照しながら説明をする。
【００１７】
図１は本発明のペットトイレの実施形態の全体概観図を示すものである。本体枠１、骨格部分で箱状のものでこれに全ての部品が取付く。人工芝ベルト２は不透水性のシート上に形成されたエンドレスの人工芝ベルトコンベヤーである。本体カバー３は本体枠１と人工芝ベルト２との隙間をカバーするもの。外柵４は樹脂、あるいは樹脂被服のスチール格子で、格子の開いている所がペットの入り口となる。洗浄水タンク５は外柵にハンガーで取り付け洗浄水の補給が簡単に出来るようになっている。符号の説明、排便貯貯留器取出口６、電源リード線４１、電源手元スイッチ４２である。
【００１８】
図２は本体カバー３の斜視図である。本体カバー３は図６に示すように本体枠１の欠きこみ部に乗せるだけで簡単に取り外しの出来るもので維持管理がし易い物である、糞尿は人工芝ベルト２の移動によって排便取入口７に運ばれる。
【００１９】
図３はペットトイレの本体カバー３を撤去した時の平面図である。本体枠１とコンベヤー受台８を繋ぐ丁番９。この丁番９はコンベヤー受台８それに取付けられた、動力モーター１４、コンベヤー動力シャフト１１,コンベヤーシャフト１２、が一体となり丁番９がヒンジとなり、図８に示すように９０度持ち上げる事が出来、固定棒２９を外柵4の左右の柵に掛ける事に依り固定でき、ベルトの維持管理、内部の清掃等ができるようにするものである。人工芝ベルト２で運ばれた糞が入る排糞貯留器１０である。符号の説明、貯水槽１７、排水パイプ35。
【００２０】
図４は、図３に示す人芝ベルト２を撤去したときの平面図である。コンベヤー受台８の中にマットスイッチ１３を取付けた図である。このマットスイッチ１３は人工芝ベルト２の下にセットされている為に、ペットが排便に来たとき必然的に踏む事によってスイッチが入り、リレー付タイマスイッチ１５を作動させる起動スイッチである。リレースイッチ用の電源は安全を考慮しＤＣ６Ｖがよい。
【００２１】
図５は、図４のコンベヤー受台８を撤去した概観図である。リレー付タイマスイッチ１５にて起動、停止の作動を行う。動力モーター１４が回転するとコンベヤー動力シャフト１１が回され人工芝ベルト２（二点鎖線）の移動によりコンベヤーシャフト１２が回転し人工芝ベルトコンベヤーが形成される。リレー付タイマスイッチ15が作動する事により洗浄水ポンプ１６が作動する。洗浄水ポンプ１６は貯水槽１７の中に設置され、洗浄水噴射パイプ１８より人工芝ベルト２に向けて洗浄水を噴射する。
【００２２】
図６はペットトイレ本体のA-A断面図である。図７は図６の部分断面の拡大図である。人工芝ベルト２の上にペットが上がるとマットスイッチ１３が作動し、リレー付タイマスイッチ１５が起動する。ここでタイマスイッチ起動、排便し終える時間（待機時間）後、動力モーター１４が起動し、同時に洗浄ポンプ1６も起動する。コンベヤー動力シャフト１１が回転し人工芝ベルト２の上の糞尿は排便取入口７に移動、糞は排便貯留器１０に落ち貯留される。
【００２３】
図７は図６の部分断面の拡大図である。糞尿がベルトコンベヤーで移動してくると排便取入口７を通り,糞は排糞貯留器１０に落ち貯留される。尿はこの時点では人工芝の芝目の間に保水されており排糞貯留器１０には入らず、人工芝ベルト２と共に移動し洗浄水噴射パイプ１８の洗浄水噴射口１９から噴出される洗浄水により尿、あるいは多少付着した糞は洗い流され下部に設置されている排水貯留器２２に貯留される。
【００２４】
さらに人工芝ベルト２は移動し垂れ落ちなかった水滴、付着した糞を洗浄ブラシ２０の回転で払い落とされる。更に移動し、人工芝ベルト２の張り具合の調整を兼ねた水切棒２１の上を通過する時に人工芝の弾性を利用してさらに水分を払い落す。
【００２５】
さらに人工芝ベルト２は移動し排便場所となった上部面が全て洗浄されると人工芝ベルト２は半移動している。この時点で全ての洗浄が終了しタイムスイッチが停止する。この繰り返しを行うのもで、次に排便には入るまでには概ね人工芝ベルト２の面は乾燥していてペットが嫌う事はない。ここでタイマスイッチの起動,停止の作動間隔はペットの大小、習性、排便面の長さにより時間を決める事がよい。
【００２６】
洗浄ブラシ２０はナイロン糸の剛毛を棒巻きにした物で人工芝ベルト２に５ｍｍ程度食い込むようにセットする事によって洗浄ブラシ２０が回転すると、ブラシの剛毛が人工芝ベルト２面をはじくように回転する。
【００２７】
図８はコンベヤー受台８を、丁番９を基点にとして９０度押し上げ固定棒２９を、左右の外柵から閂状に差し込んで保持している断面図である。このように持ち上げる事で、人工芝ベルト２を取外したり内部の点検したり、清掃ができるものである。
【００２８】
図９はペットトイレの駆動部の断面図である。動力ギヤー２５はコンベヤー動力シャフト１１に取付けられ動力モーター１４に直結されゆっくり1ｍ１分位の速さで左回転を始めると次の動力伝達ギヤー２６は右回転をし、洗浄ブラシギヤー２７は左回転をする。この時人工芝ベルト２は左から右へ移動している、洗浄ブラシ２０は右から左に回転している、ここで動力伝達ギヤー２６、洗浄ブラシギヤー２７のギヤー比により洗浄ブラシ２０の回転数を上げる事に依り、洗浄ブラシ２０が人工芝ベルト２面を早いスピードで逆なでする事になり糞の付着、水滴を払いのけることが出来る。
【００２９】
図１０は貯水槽１７の中に洗浄水ポンプ１６が設置された概観図である。洗浄水ポンプ１６から給水パイプ３１で洗浄噴射パイプ１８に導かれている。洗浄噴射パイプ１８には,０．３ｍｍ程度の洗浄水噴射口１９が１０ｍｍ程度の間隔でベルトの巾に設置され洗浄水を噴射し排便場所となった人工芝部分を洗い流す物である。符号の説明、給水接続パイプ４０である。
【００３０】
図１１は排糞貯留器１０と排水貯留器２２、波動防止板２３がセットになっている一部破断した概観図である。これはペットトイレが室内に置かれるか、排水がし難い場合の貯留器で本体枠１の中に組み込まれていて、排便処理をするとき本体より引き出して処理をする。記号説明排水口２４である。
【００３１】
図１２は排水貯留器２２の中にセットされる波動防止板２３の一部破断した概観図である。浅いトレイ状の排水貯留器２２を急に引き出すと貯留された水は波打ちこぼれる為にトレイの中に相欠ぎした板で井桁状に枠わくを組ことにより波立ちを小さくしこぼれを防ぐ、板は一方側の下部を２mmほど浅くする事により満遍なく貯留する事が出来る。波動防止板23は相欠ぎした板をはめるだけの簡単な構造である、よって清掃時も簡単に分解でき清掃しやすい物である。
【００３２】
図１３は排糞貯留器１０が単独の場合の概観図である。これは排水貯留器２２を排水受器３２に取り換えた時、糞の処理のみをすればよい為に排糞貯留器１０が独立した物になったのである。
【００３３】
図１４は排水受器３２の概観図である。矢折３３、排水口３４、排水パイプ３５である。これは排尿、洗浄水が外部排水に流せる場合のもので、排尿、洗浄水を排水受器３２の面で受、排水孔３４に集め排水パイプ３５へ導くものでこれに塩ビホース、ゴムホース等を接続し他の排水に流す事が出来る、よって糞のみを処理すれば良い。
【００３４】
図１５は排水受器３２の断面図である。これを本体枠１にセットすると排水パイプ３５の一部が外側に出る,これに排水ホースを接続し外部排水に流すことができる。
【図面の簡単な説明】
【００３５】
【図１】本発明のペットトイレの実施形態を示す概観図である。
【図２】図１の本体カバー３を取出し回転し排便取入口７が見えるようにした概観図である。
【図３】図１の本体カバー３を撤去したときの平面図である。
【図４】図３の人工芝ベルト２を撤去したときの平面図である。
【図５】図４のベルト受台８を外柵４撤去したときの概観図である。
【図６】図１のＡ〜Ａ断面図である。
【図７】図６の部分断面の拡大図である。
【図８】ペットトイレのＢ〜Ｂ部分のベルト受台８を持ち上げた断面図である。
【図９】図１のペットトイレのＡ〜Ａ断面図の駆動部分である。
【図１０】本体枠１内に設置されている貯水槽１７等の概観図である。
【図１１】排糞貯留器１０,排水貯留器２２の一部破断概観図で。ある
【図１２】排水貯留器２２の中にセットする波動防止板２３の一部破断概観図である。
【図１３】排糞貯留器１０の単独の斜視図である。
【図１４】排水受器３２の概観図である。
【図１５】排水受器３２の断面図である。
【符号の説明】
【００３６】
１  本体枠
２  人工芝ベルト
３  本体カバー
４  外柵
５  洗浄水タンク
６  排便貯留器取出口
７  排便取入口
８  コンベヤー受台
９  丁番
１０  排糞貯留器
１１  コンベヤー動力シャフト
１２  コンベヤーシャフト
１３  マットスイッチ
１４  動力モーター
１５  リレー付タイマスイッチ
１６  洗浄水ポンプ
１７  貯水槽
１８  洗浄水噴射パイプ
１９  洗浄水噴射口
２０  洗浄ブラシ
２１  水切棒
２２  排水貯留器
２３  波動防止板
２４  排水口
２５  動力ギヤー
２６  動力伝達ギヤー
２７  洗浄ブラシギヤー
２８  洗浄水タンク受器
２９  固定棒
３０  側板
３１  給水パイプ
３２  排水受器
３３  矢折
３４  排水孔
３５  排水パイプ
３６  防湿シート
３７  上部電極板
３８  下部電極板
３９  絶縁材
４０  給水接続パイプ
４１  電源コード
４２  電源スイッチ
【図１】
2005176720.tif 000003
【図２】
2005176720.tif 000004
【図３】
2005176720.tif 000005
【図４】
2005176720.tif 000006
【図５】
2005176720.tif 000007
【図６】
2005176720.tif 000008
【図７】
2005176720.tif 000009
【図８】
2005176720.tif 000010
【図９】
2005176720.tif 000011
【図１０】
2005176720.tif 000012
【図１１】
2005176720.tif 000013
【図１２】
2005176720.tif 000014
【図１３】
2005176720.tif 000015
【図１４】
2005176720.tif 000016
【図１５】
2005176720.tif 000017